(57)【要約】【課題】２台の操作表示装置が連携動作中であって一方が省電力状態の場合に、該一方の操作表示装置でのキー操作等によって該一方の操作表示装置の省電力状態がユーザの意図に反して解除されないようにすることのできる表示システム等を提供する。【解決手段】操作パネル３０が省電力表示状態にあり、リモート操作パネル４０と連携動作中でない場合に操作パネル３０でＣＯＰＹ釦３８ａ等の操作を受けた場合は、操作パネル３０を通常表示状態に遷移させ、操作パネル３０が省電力表示状態、リモート操作パネル４０が通常表示状態であり、これらが連携動作中に操作パネル３０のＣＯＰＹ釦３８ａ等の操作を受けて場合は、操作パネル３０を省電力表示状態に維持する。【選択図】図５
2015143940.tif 000002
【特許請求の範囲】
【請求項１】
操作部と表示部をそれぞれ備えた第１、第２の操作表示装置を備え、これらを連携動作させる表示システムであって、
前記第１の操作表示装置が通常表示状態より表示による電力消費を少なく抑えた省電力表示状態にあり、かつ、前記第１の操作表示装置と前記第２の操作表示装置が前記連携動作中でないときに、前記第１の操作表示装置で所定の操作を受けた場合は、前記第１の操作表示装置を前記通常表示状態に遷移させ、
前記第１の操作表示装置が前記省電力表示状態にあり、かつ、前記第２の操作表示装置が前記通常表示状態にあり、かつ、前記第１の操作表示装置と前記第２の操作表示装置が前記連携動作中のときに、前記第１の操作表示装置で前記所定の操作を受けた場合は、前記第１の操作表示装置を前記省電力表示状態に維持する、
ことを特徴とする表示システム。
【請求項２】
前記第１の操作表示装置は、画像形成装置が備える操作パネルであり、
前記第２の操作表示装置は、前記画像形成装置を遠隔操作可能なリモート操作パネルである
ことを特徴とする請求項１に記載の表示システム。
【請求項３】
前記第２の操作表示装置は、画像形成装置が備える操作パネルであり、
前記第１の操作表示装置は、前記画像形成装置を遠隔操作可能なリモート操作パネルである
ことを特徴とする請求項１に記載の表示システム。
【請求項４】
前記画像形成装置が動作中に生成したユーザへの通知情報は、前記操作パネルが前記通常表示状態であれば前記操作パネルに表示させ、前記連携動作中であって前記操作パネルが前記省電力表示状態で前記リモート操作パネルが前記通常表示状態であれば、前記リモート操作パネルに表示させる
ことを特徴とする請求項２または３に記載の表示システム。
【請求項５】
前記通知情報は、実行中のジョブの詳細情報である
ことを特徴とする請求項４に記載の表示システム。
【請求項６】
前記通知情報は、実行中に生じたエラーに関するエラー情報である
ことを特徴とする請求項４に記載の表示システム。
【請求項７】
前記所定の操作は、所定のハードキーに対する操作である
ことを特徴とする請求項１乃至６のいずれか１つに記載の表示システム。
【請求項８】
前記所定の操作は、前記表示部上のタッチパネルへのタッチ操作を含む
ことを特徴とする請求項１乃至７のいずれか１つに記載の表示システム。
【請求項９】
前記第１の操作表示装置が前記省電力表示状態にあり、かつ、前記第２の操作表示装置が前記通常表示状態にあり、かつ、前記第１の操作表示装置と前記第２の操作表示装置が前記連携動作中のときに、前記第１の操作表示装置で前記タッチ操作を受けた場合は、前記第２の操作表示装置にて前記第１の操作表示装置の前記省電力表示状態を解除するか否かの選択操作を受け付け、前記省電力表示状態を解除する操作を受けた場合は前記第１の操作表示装置を前記通常表示状態に移行させる
ことを特徴とする請求項８に記載の表示システム。
【請求項１０】
操作部と表示部を有する操作パネルを備えた画像形成装置であって、
操作部と表示部を備えた操作表示装置と前記操作パネルとを連携動作させる連携制御部と、
前記操作パネルが通常表示状態より表示による電力消費を少なく抑えた省電力表示状態にあり、かつ、前記操作パネルと前記操作表示装置が前記連携動作中でないときに、前記操作パネルで所定の操作を受けた場合は、前記操作パネルを前記通常表示状態に遷移させ、前記操作パネルが前記省電力表示状態にあり、かつ、前記操作表示装置が前記通常表示状態にあり、かつ、前記操作パネルと前記操作表示装置が前記連携動作中のときに、前記操作パネルで前記所定の操作を受けた場合は、前記操作表示装置を前記省電力表示状態に維持するように制御する表示状態制御部と
を有する
ことを特徴とする画像形成装置。
【請求項１１】
ユーザへの通知情報を作成する通知情報作成部をさらに備え、
自装置の動作中に前記通知情報作成部が生成した前記通知情報を、前記操作パネルが前記通常表示状態であれば前記操作パネルに表示させ、前記連携動作中であって前記操作パネルが前記省電力表示状態で前記操作表示装置が前記通常表示状態であれば、前記操作表示装置に表示させる
ことを特徴とする請求項１０に記載の画像形成装置。
【請求項１２】
前記通知情報は、実行中のジョブの詳細情報である
ことを特徴とする請求項１１に記載の画像形成装置。
【請求項１３】
前記通知情報は、実行中に生じたエラーに関するエラー情報である
ことを特徴とする請求項１１に記載の画像形成装置。
【請求項１４】
前記所定の操作は、所定のハードキーに対する操作である
ことを特徴とする請求項１０乃至１３のいずれか１つに記載の画像形成装置。
【請求項１５】
前記所定の操作は、前記表示部上のタッチパネルへのタッチ操作を含む
ことを特徴とする請求項１０乃至１４のいずれか１つに記載の画像形成装置。
【請求項１６】
前記操作パネルが前記省電力表示状態にあり、かつ、前記操作表示装置が前記通常表示状態にあり、かつ、前記操作パネルと前記操作表示装置が前記連携動作中のときに、前記操作パネルで前記タッチ操作を受けた場合は、前記操作表示装置に前記操作パネルの前記省電力表示状態を解除するか否かの選択操作を受け付けさせ、前記省電力表示状態を解除する操作を受けた場合は自装置を前記通常表示状態に移行させる
ことを特徴とする請求項１５に記載の画像形成装置。
【請求項１７】
操作部と表示部をそれぞれ備えた第１、第２の操作表示装置を、請求項１乃至９のいずれか１つに記載の表示システムとして動作させるプログラム。
【請求項１８】
操作部と表示部を有する操作パネルを備えた画像形成装置を、請求項１０乃至１６のいずれか１つに記載の画像処理装置として動作させるプログラム。
【請求項１９】
操作部と表示部を備えた第１の操作表示装置が通常表示状態より表示による電力消費を少なく抑えた省電力表示状態にあり、かつ、操作部と表示部を備えた第２の操作表示装置と前記第１の操作表示装置が前記連携動作中でないときに、前記第１の操作表示装置で所定の操作を受けた場合は、前記第１の操作表示装置を前記通常表示状態に遷移させ、
前記第１の操作表示装置が前記省電力表示状態にあり、かつ、前記第２の操作表示装置が前記通常表示状態にあり、かつ、前記第１の操作表示装置と前記第２の操作表示装置が前記連携動作中のときに、前記第１の操作表示装置で前記所定の操作を受けた場合は、前記第１の操作表示装置を前記省電力表示状態に維持する、
ことを特徴とする表示状態制御方法。
【発明の詳細な説明】
【技術分野】
【０００１】
本発明は、２台の操作表示装置を連携させる表示システムおよび画像形成装置、プログラム、表示状態制御方法に関する。
【背景技術】
【０００２】
複合機などの画像形成装置とユーザが所有する携帯端末とを連携動作させ、関連する２つの画面を画像形成装置の操作パネルとユーザの携帯端末に同時に表示したり、ユーザの携帯端末をリモート操作パネルとして機能させ、遠隔からジョブの投入や設定を可能にしたりする画像形成装置がある。
【０００３】
また、画像形成装置を遠隔操作する場合に、画像形成装置がスリープ状態にあれば、そのスリープ状態を維持したまま遠隔操作を可能とする画像表示システムや（特許文献１参照）、画像形成装置を遠隔操作する場合に、遠隔操作される画像形成装置を省電力状態に移行させるシステムがある（特許文献２参照）。
【先行技術文献】
【特許文献】
【０００４】
【特許文献１】特開２０１３−１６２３８７号公報
【特許文献２】特開２０１３−０９７６６７号公報
【発明の概要】
【発明が解決しようとする課題】
【０００５】
特許文献１，２では、画像形成装置を遠隔操作する際に画像形成装置のスリープ状態が維持される。これと同様に、画像形成装置とユーザの携帯端末を連携動作させる場合においても、画像形成装置の操作パネルが省電力状態であれば、該省電力状態を維持したまま、ユーザの所有する携帯端末等からジョブの投入や設定を完結させることが望まれる。
【０００６】
しかしながら、従来の画像形成装置等は、自装置の操作パネルで何らかの操作を受けると省電力状態を解除する。そのため、画像形成装置とユーザの携帯端末等が連携動作中であっても、画像形成装置の操作パネルで何らかの操作を受けると画像形成装置の省電力状態が解除されてしまう。
【０００７】
たとえば、画像形成装置の操作パネルが省電力状態のときに携帯端末を連携動作させてジョブの投入や設定を携帯端末から行った場合に、画像形成装置の操作パネルにて、スタートキーなど何らかのキー操作を行うと、ユーザが意図せずに、画像形成装置の省電力状態が解除されてしまう。画像形成装置は、省電力状態を解除する際に自装置の各部を初期化したりするので、多くの電力が無駄に消費されてしまう。
【０００８】
また、画像形成装置の操作パネルが省電力状態にあり、かつ、携帯端末と連携動作している状態で画像形成装置がジョブを実行し、その実行中にエラーが発生すると、エラーメッセージ等を表示するために画像形成装置の操作パネルの省電力状態が解除されてしまう。
【０００９】
なお、同様の問題は、操作パネルと携帯端末を連携動作させており、携帯端末側が表示の省電力状態にある場合にも生じ得る。たとえば、画像形成装置の操作パネルで大半の設定は行ったが、携帯端末に使い勝手の良いキーがあるので、携帯端末を連携させてユーザがそのキーを操作すると、携帯端末が表示の省電力状態にあったとしてもこれが解除されてしまう。
【００１０】
本発明は、上記の問題を解決しようとするものであり、２台の操作表示装置が連携動作中であって一方が省電力状態の場合に、該一方の操作表示装置でのキー操作等によって該一方の操作表示装置の省電力状態がユーザの意図に反して解除されないようにすることのできる表示システム、画像形成装置、プログラム、表示状態制御方法を提供することを目的としている。
【課題を解決するための手段】
【００１１】
かかる目的を達成するための本発明の要旨とするところは、次の各項の発明に存する。
【００１２】
［１］操作部と表示部をそれぞれ備えた第１、第２の操作表示装置を備え、これらを連携動作させる表示システムであって、
前記第１の操作表示装置が通常表示状態より表示による電力消費を少なく抑えた省電力表示状態にあり、かつ、前記第１の操作表示装置と前記第２の操作表示装置が前記連携動作中でないときに、前記第１の操作表示装置で所定の操作を受けた場合は、前記第１の操作表示装置を前記通常表示状態に遷移させ、
前記第１の操作表示装置が前記省電力表示状態にあり、かつ、前記第２の操作表示装置が前記通常表示状態にあり、かつ、前記第１の操作表示装置と前記第２の操作表示装置が前記連携動作中のときに、前記第１の操作表示装置で前記所定の操作を受けた場合は、前記第１の操作表示装置を前記省電力表示状態に維持する、
ことを特徴とする表示システム。
【００１３】
上記発明および下記［１０］に記載の発明では、第１の操作表示装置が省電力表示状態であって第２の操作表示装置と連携動作中でない場合に第１の操作表示装置で所定の操作を受けると第１の操作表示装置の省電力表示状態は解除されるが、連携動作中に同じ操作を受けても、第１の操作表示装置は省電力表示状態を維持する。
【００１４】
［２］前記第１の操作表示装置は、画像形成装置が備える操作パネルであり、
前記第２の操作表示装置は、前記画像形成装置を遠隔操作可能なリモート操作パネルである
ことを特徴とする［１］に記載の表示システム。
【００１５】
上記発明では、画像形成装置の操作パネルが省電力表示状態であってリモート操作パネルと連携動作中でない場合に操作パネルで所定の操作を受けると操作パネルの省電力表示状態は解除され、連携動作中に同じ操作を受けても、操作パネルの省電力表示状態は維持される。
【００１６】
［３］前記第２の操作表示装置は、画像形成装置が備える操作パネルであり、
前記第１の操作表示装置は、前記画像形成装置を遠隔操作可能なリモート操作パネルである
ことを特徴とする［１］に記載の表示システム。
【００１７】
上記発明では、リモート操作パネルが省電力表示状態であって画像形成装置の操作パネルと連携動作中でない場合にリモート操作パネルで所定の操作を受けるとリモート操作パネルの省電力表示状態は解除され、連携動作中に同じ操作を受けても、リモート操作パネルの省電力表示状態は維持される。
【００１８】
［４］前記画像形成装置が動作中に生成したユーザへの通知情報は、前記操作パネルが前記通常表示状態であれば前記操作パネルに表示させ、前記連携動作中であって前記操作パネルが前記省電力表示状態で前記リモート操作パネルが前記通常表示状態であれば、前記リモート操作パネルに表示させる
ことを特徴とする［２］または［３］に記載の表示システム。
【００１９】
上記発明および下記［１１］に記載の発明では、操作パネルが省電力表示状態であって連携動作している場合は、画像形成装置の動作中に発生した通知情報を表示するために、操作パネルの省電力表示状態は解除されず、該通知情報はリモート操作パネルに表示される。
【００２０】
［５］前記通知情報は、実行中のジョブの詳細情報である
ことを特徴とする［４］に記載の表示システム。
【００２１】
［６］前記通知情報は、実行中に生じたエラーに関するエラー情報である
ことを特徴とする［４］に記載の表示システム。
【００２２】
［７］前記所定の操作は、所定のハードキーに対する操作である
ことを特徴とする［１］乃至［６］のいずれか１つに記載の表示システム。
【００２３】
［８］前記所定の操作は、前記表示部上のタッチパネルへのタッチ操作を含む
ことを特徴とする［１］乃至［７］のいずれか１つに記載の表示システム。
【００２４】
［９］前記第１の操作表示装置が前記省電力表示状態にあり、かつ、前記第２の操作表示装置が前記通常表示状態にあり、かつ、前記第１の操作表示装置と前記第２の操作表示装置が前記連携動作中のときに、前記第１の操作表示装置で前記タッチ操作を受けた場合は、前記第２の操作表示装置にて前記第１の操作表示装置の前記省電力表示状態を解除するか否かの選択操作を受け付け、前記省電力表示状態を解除する操作を受けた場合は前記第１の操作表示装置を前記通常表示状態に移行させる
ことを特徴とする［８］に記載の表示システム。
【００２５】
上記発明および下記［１６］に記載の発明では、省電力表示状態の第１の操作表示装置のタッチパネルでタッチ操作を受けたとき、連携動作中であれば、第２の操作表示装置にて第１の操作表示装置の省電力表示状態を解除するか否かの選択操作を受け付ける。これにより、ユーザの意図しない誤タッチによって第１の操作表示装置の省電力表示状態が解除されることが回避される。
【００２６】
［１０］操作部と表示部を有する操作パネルを備えた画像形成装置であって、
操作部と表示部を備えた操作表示装置と前記操作パネルとを連携動作させる連携制御部と、
前記操作パネルが通常表示状態より表示による電力消費を少なく抑えた省電力表示状態にあり、かつ、前記操作パネルと前記操作表示装置が前記連携動作中でないときに、前記操作パネルで所定の操作を受けた場合は、前記操作パネルを前記通常表示状態に遷移させ、前記操作パネルが前記省電力表示状態にあり、かつ、前記操作表示装置が前記通常表示状態にあり、かつ、前記操作パネルと前記操作表示装置が前記連携動作中のときに、前記操作パネルで前記所定の操作を受けた場合は、前記操作表示装置を前記省電力表示状態に維持するように制御する表示状態制御部と
を有する
ことを特徴とする画像形成装置。
【００２７】
［１１］ユーザへの通知情報を作成する通知情報作成部をさらに備え、
自装置の動作中に前記通知情報作成部が生成した前記通知情報を、前記操作パネルが前記通常表示状態であれば前記操作パネルに表示させ、前記連携動作中であって前記操作パネルが前記省電力表示状態で前記操作表示装置が前記通常表示状態であれば、前記操作表示装置に表示させる
ことを特徴とする［１０］に記載の画像形成装置。
【００２８】
［１２］前記通知情報は、実行中のジョブの詳細情報である
ことを特徴とする［１１］に記載の画像形成装置。
【００２９】
［１３］前記通知情報は、実行中に生じたエラーに関するエラー情報である
ことを特徴とする［１１］に記載の画像形成装置。
【００３０】
［１４］前記所定の操作は、所定のハードキーに対する操作である
ことを特徴とする［１０］乃至［１３］のいずれか１つに記載の画像形成装置。
【００３１】
［１５］前記所定の操作は、前記表示部上のタッチパネルへのタッチ操作を含む
ことを特徴とする［１０］乃至［１４］のいずれか１つに記載の画像形成装置。
【００３２】
［１６］前記操作パネルが前記省電力表示状態にあり、かつ、前記操作表示装置が前記通常表示状態にあり、かつ、前記操作パネルと前記操作表示装置が前記連携動作中のときに、前記操作パネルで前記タッチ操作を受けた場合は、前記操作表示装置に前記操作パネルの前記省電力表示状態を解除するか否かの選択操作を受け付けさせ、前記省電力表示状態を解除する操作を受けた場合は自装置を前記通常表示状態に移行させる
ことを特徴とする［１５］に記載の画像形成装置。
【００３３】
［１７］操作部と表示部をそれぞれ備えた第１、第２の操作表示装置を、［１］乃至［９］のいずれか１つに記載の表示システムとして動作させるプログラム。
【００３４】
［１８］操作部と表示部を有する操作パネルを備えた画像形成装置を、［１０］乃至［１６］のいずれか１つに記載の画像処理装置として動作させるプログラム。
【００３５】
［１９］操作部と表示部を備えた第１の操作表示装置が通常表示状態より表示による電力消費を少なく抑えた省電力表示状態にあり、かつ、操作部と表示部を備えた第２の操作表示装置と前記第１の操作表示装置が前記連携動作中でないときに、前記第１の操作表示装置で所定の操作を受けた場合は、前記第１の操作表示装置を前記通常表示状態に遷移させ、
前記第１の操作表示装置が前記省電力表示状態にあり、かつ、前記第２の操作表示装置が前記通常表示状態にあり、かつ、前記第１の操作表示装置と前記第２の操作表示装置が前記連携動作中のときに、前記第１の操作表示装置で前記所定の操作を受けた場合は、前記第１の操作表示装置を前記省電力表示状態に維持する、
ことを特徴とする表示状態制御方法。
【発明の効果】
【００３６】
本発明に係る表示システム、画像形成装置、プログラム、表示状態制御方法によれば、２台の操作表示装置が連携動作中であって一方が省電力状態の場合に、該一方の操作表示装置でのキー操作等によって該一方の操作表示装置の省電力状態がユーザの意図に反して解除されなくなり、省電力効果が維持される。
【図面の簡単な説明】
【００３７】
【図１】本発明の実施の形態に係る表示システムの一例を示す図である。
【図２】画像形成装置の電気的な概略構成を示すブロック図である。
【図３】携帯端末の概略構成を示すブロック図である。
【図４】連携動作の前の操作パネル、および連携動作開始直後の操作パネルとリモート操作パネルの一例を示す図である。
【図５】省電力表示状態の操作パネルと通常表示状態のリモート操作パネルが連携動作している状態の一例を示す図である。
【図６】図５の状態からユーザが操作パネルのＣＯＰＹ釦を操作した場合の表示の変化を示す図である。
【図７】図５、図６の動作に関する制御の流れを示す流れ図である。
【図８】通常表示状態の操作パネルと省電力表示状態のリモート操作パネルが連携動作している状態の一例を示す図である。
【図９】図８の状態からユーザがリモート操作パネルのハードキーを操作した場合の表示の変化を示す図である。
【図１０】図８、図９の動作に関する制御の流れを示す流れ図である。
【図１１】リモート操作パネルでジョブの設定操作を行い、該ジョブの実行指示を省電力表示状態の操作パネルのスタート釦を操作して入力した状態を示す図である。
【図１２】図１１の状態でジョブの実行を開始し、そのジョブの実行中にエラーが発生した場合の表示例を示す図である。
【図１３】連携動作中に通知情報が発生した場合の制御の流れを示す流れ図である。
【図１４】省電力表示状態の操作パネルのタッチパネルにユーザの指が意図せずに触れてしまった状態を示す図である。
【図１５】操作パネルの省電力表示状態を解除するか否かの選択画面がリモート操作パネルに表示された状態を示す図である。
【図１６】図１５の状態からユーザが、はい釦を選択した様子を示す図である。
【図１７】はい釦の選択により、操作パネルの省電力表示状態が解除されて通常表示状態になったときの表示の一例を示す図である。
【図１８】タッチ操作に対する制御を示す流れ図である。
【発明を実施するための形態】
【００３８】
以下、図面に基づき本発明の実施の形態を説明する。
【００３９】
図１は、本発明の実施の形態に係る表示システム３の一例を示している。表示システム３は、第１の操作表示装置としての操作パネル３０を備えた画像形成装置１０と、第２の操作表示装置としてのリモート操作パネル４０とから構成される。リモート操作パネル４０は画像形成装置１０の操作パネル３０に並置されて使用される。
【００４０】
画像形成装置１０は、原稿を光学的に読み取ってその複製画像を記録紙に印刷するコピージョブ、読み取った原稿の画像データをファイルにして保存したり外部端末へネットワークを通じて送信したりするスキャンジョブ、端末装置からネットワークを通じて受信した印刷データに係る画像を記録紙上に形成して印刷出力するプリントジョブ、ファクシミリ手順に従って画像データを送受信するＦＡＸジョブなど、複数種類のジョブを実行する機能を備えた、所謂、複合機である。なお、本説明では、画像形成装置１０をＭＦＰとも記す。
【００４１】
リモート操作パネル４０は、画像形成装置１０の遠隔操作専用の携帯端末であってもよいし、携帯電話、タブレット端末、スマートフォンなどの端末を所定のアプリケーションプログラムによってリモート操作パネル４０としての機能を具備させたものでもよい。
【００４２】
画像形成装置１０は、自装置の操作パネル３０とリモート操作パネル４０が並置されて通信可能な状態にあるときリモート操作パネル４０と連携動作を行うことができる。連携動作では、操作パネル３０とリモート操作パネル４０の一方または双方の表示部を使用して操作画面やプレビュー画面などの画面を表示することができる。なお、操作パネル３０やリモート操作パネル４０などを総じて、操作表示装置と呼ぶものとする。
【００４３】
たとえば、連携動作では、操作パネル３０に表示している画面に表示しきれない部分があるとき、リモート操作パネル４０にその表示しきれない部分が表示される。あるいは、操作パネル３０に表示中の画面に関連する画面がリモート操作パネル４０に表示される。
【００４４】
図２は、画像形成装置１０の電気的な概略構成を示すブロック図である。画像形成装置１０は、当該画像形成装置１０の動作を統括的に制御する制御部としてのＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４、ハードディスク装置１５、自動原稿搬送部（ＡＤＦ：Auto Document Feeder）１６、ネットワーク通信部１７、画像読取部１８、画像処理部１９、プリンタ部２１、ファクシミリ通信部２２、認証部２３、操作パネル３０などが接続されている。
【００４５】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像形成装置１０（操作パネル３０を含む）の各機能が実現される。
【００４６】
ここでは、操作パネル３０についてもＣＰＵ１１が制御するが、操作パネル３０の制御を操作パネル３０専用に設けた別途のＣＰＵで行うように構成されてもよい。
【００４７】
ＲＡＭ１３は、ＣＰＵ１１がプログラムに基づいて処理を実行する際に各種のデータを一時的に格納するワークメモリや画像データを格納する画像メモリなどとして使用される。
【００４８】
不揮発メモリ１４は、電源をオフにしても記憶内容が破壊されないメモリ（フラッシュメモリ）であり、各種設定情報の保存などに使用される。
【００４９】
ハードディスク装置１５は大容量不揮発の記憶装置であり、印刷データ、表示用の画面のデータのほか各種のプログラムやデータが記憶される。
【００５０】
ネットワーク通信部１７は、ＬＡＮ（Local Area Network）などのネットワークに接続された外部端末、サーバなどと通信する機能を果たす。
【００５１】
画像読取部１８は、原稿を光学的に読み取って画像データを取得する機能を果たす。画像読取部１８は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５２】
自動原稿搬送部１６は、原稿台にセットされた原稿をその最上のものから１枚ずつ順に繰り出して搬送し、画像読取部１８の読み取り位置を通過させて所定の排紙位置へ排紙する機能を果たす。画像読取部１８は、プラテンガラス上に載置された原稿を読み取る機能と、自動原稿搬送部１６によって搬送される原稿を順次読み取る機能を備えている。
【００５３】
画像処理部１９は、画像の拡大縮小、回転などの処理のほか、印刷データをイメージデータに変換するラスタライズ処理、画像データの圧縮、伸張処理などを行う。
【００５４】
プリンタ部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５５】
ファクシミリ通信部２２は、ファクシミリ機能を備えた外部装置と電話回線を通じて画像データを送受信する機能を果たす。
【００５６】
認証部２３は、画像形成装置１０を使用するユーザを認証する。認証方法は、パスワード、指紋、静脈など任意でよい。
【００５７】
操作パネル３０は、表示部３１と、操作部３２と、近接無線通信部３３と、接続検出部３４を備え、各種の操作画面、設定画面等を表示する機能、ユーザからジョブの投入など各種の操作を受け付ける機能を果たす。
【００５８】
表示部３１は液晶ディスプレイ（ＬＣＤ…Liquid Crystal Display）とそのドライバなどで構成される。操作部３２は、スタート釦やテンキーなどの各種ハードキーと、表示部３１の表示面上に設けられたタッチパネル３２ａを備えている。タッチパネル３２ａは、表示部３１の表示面がタッチペンや指などで接触操作された座標位置を検出する。操作部３２は、タッチパネル３２ａを通じて選択操作、フリック操作やドラッグ操作などを受け付ける。タッチパネル３２ａの検知方式は、静電容量、アナログ/デジタル抵抗膜、赤外線、超音波、電磁誘導等、任意でよい。
【００５９】
図４（ａ）に示すように、操作パネル３０は、ハードキーとして、テンキー３５、スタート釦３６、ストップ釦３７、コピー機能、ＦＡＸ機能、ＳＣＡＮ機能をそれぞれ選択するための機能選択釦（ＣＯＰＹ釦３８ａ、ＦＡＸ釦３８ｂ、ＳＣＡＮ釦３８ｃ）などを備えている。
【００６０】
近接無線通信部３３は、操作パネル３０の近傍に配置されたリモート操作パネル４０と無線通信する機能を果たす。近接無線通信部３３の通信可能距離は５０ｃｍ程度で十分である。通信方式には各種の近距離無線通信方式を採用することができる。
【００６１】
接続検出部３４は、操作パネル３０に対してリモート操作パネル４０が所定の場所に並置されたことを検出する。たとえば、操作パネル３０の側部にリモート操作パネル４０を保持するためのドックを設ける場合、接続検出部３４は、このドックにリモート操作パネル４０が装着されたことを検出する。
【００６２】
図３は、リモート操作パネル４０の概略構成を示すブロック図である。リモート操作パネル４０は、当該リモート操作パネル４０の動作を統括制御するＣＰＵ４１を有している。ＣＰＵ４１にはバスを通じてＲＯＭ４２と、ＲＡＭ４３と、不揮発メモリ４４と、認証部４５と、操作部４６と、表示部４７と、ネットワーク通信部４８と、近接無線通信部４９とが接続されている。
【００６３】
ＲＯＭ４２および不揮発メモリ４４には、各種プログラムやデータが格納され、これらのプログラムに従ってＣＰＵ４１が各種の処理を実行することでリモート操作パネル４０の各機能が実現される。ＲＡＭ４３はＣＰＵ４１がプログラムを実行する際に各種のデータを一時的に格納するワークメモリや表示データを一時記憶するメモリとして使用される。
【００６４】
不揮発メモリ４４は、電源がオフになっても記憶内容が保持されるメモリである。不揮発メモリ４４には、文書や画像ファイル、各種の設定内容、ユーザ情報、端末情報（ネットワークアドレスなど）、アプリケーションプログラム、操作パネル３０からの指示に基づいて画面を表示する機能を実行するためのプログラムなどが記憶される。
【００６５】
認証部４５は、当該リモート操作パネル４０を使用するユーザを認証する。
【００６６】
表示部４７は、液晶ディスプレイなどで構成される。
【００６７】
操作部４６は、表示部４７の表示面上の全面に設けられ、指やペンなどによってタッチされた位置を検出するタッチパネル４６ａと、少数のハードキー（操作スイッチ）を備える。
【００６８】
ネットワーク通信部４８は、無線通信によりネットワークと接続して各種の外部装置と通信する機能を果たす。近接無線通信部４９は、近傍の操作パネル３０の近接無線通信部３３と無線通信する機能を果たす。通信可能距離、通信方式等は操作パネル３０の近接無線通信部３３と同一である。
【００６９】
図４は、連携動作に入る前後の状態を示している。同図（ａ）は、連携動作していない操作パネル３０を、同図（ｂ）は、連携動作を開始した直後の操作パネル３０とリモート操作パネル４０を示している。
【００７０】
図４（ａ）では、操作パネル３０の表示部３１にコピー設定（１）の操作画面が表示されている。この状態で操作パネル３０にリモート操作パネル４０を並置してこれらの連携動作が開始すると、同図（ｂ）に示す表示状態になる。この例では、操作パネル３０の表示部３１にはコピー設定（１）の操作画面がそのまま継続して表示され、リモート操作パネル４０の表示部４７には、コピー設定（１）の続きの画面であるコピー設定（２）の操作画面が表示されている。
【００７１】
連携動作に入る基点は、
操作パネル３０とリモート操作パネル４０が無線通信可能な状態になったことを検出した時点、
操作パネル３０の接続検出部３４がリモート操作パネル４０の装着を検知した時点、
操作パネル３０の所定のセンサにてリモート操作パネル４０の近接を検出し、かつリモート操作パネル４０と通信可能になったことを検知した時点、
等とすることができる。
【００７２】
操作パネル３０、リモート操作パネル４０はそれぞれ表示状態を、通常表示状態と、通常表示状態より表示に要する消費電力の少ない省電力表示状態に切り替えることができる。省電力表示状態では、表示しない、あるいは、輝度を低くして表示する。
【００７３】
画像形成装置１０は、操作パネル３０を省電力表示状態にしつつ、リモート操作パネル４０と連携動作を行ったり、他の部分を通常通りに動作させてジョブを実行したりすることができる。また、画像形成装置１０は自装置全体を省電力状態（所謂、スリープ状態）にすることも可能になっている。
【００７４】
同様に、リモート操作パネル４０は省電力表示状態であっても、操作パネル３０と連携動作したりハードキーで操作を受け付けたりすることができる。また、リモート操作パネル４０全体を省電力状態にすることも可能になっている。
【００７５】
なお、連携動作中は操作パネル３０とリモート操作パネル４０のうちの少なくとも一方は通常表示状態となり、双方が同時に省電力表示状態になることはないように制御される。
【００７６】
図５は、省電力表示状態の操作パネル３０と通常表示状態のリモート操作パネル４０が連携動作している状態の一例を示している。たとえば、画像形成装置１０の操作パネル３０が省電力表示状態のときにリモート操作パネル４０が並置されて連携動作を開始する場合、リモート操作パネル４０の表示部４７に、操作パネル３０を省電力表示状態のまま維持するか否かを問い合わせる。そして、省電力表示状態を維持することが選択されれば、操作パネル３０を省電力表示状態に維持したまま連携動作を開始し、省電力表示状態を維持しないことが選択されれば、操作パネル３０の省電力表示状態を解除し、双方とも通常表示状態で連携動作を開始する。
【００７７】
図５は、操作パネル３０が省電力表示状態でリモート操作パネル４０と連携動作しているので、連携動作中のリモート操作パネル４０の表示部４７には、操作パネル３０が通常表示状態であれば操作パネル３０の表示部３１に表示されるホーム画面が、表示されている。
【００７８】
この状態で、ユーザは画像形成装置１０に対する各種の設定をリモート操作パネル４０を使用して行うことができる。また、操作パネル３０は、省電力表示状態であっても該操作パネル３０のハードキーの操作を受け付ける。画像形成装置１０の操作パネル３０には、スタート釦３６、ストップ釦３７、テンキー３５、ＣＯＰＹ釦３８ａ、ＦＡＸ釦３８ｂ、ＳＣＡＮ釦３８ｃなどがあり、これらのハードキーによる操作の方が使い勝手が良いと思うユーザもいる。
【００７９】
このようなハードキーの操作によって省電力表示状態の操作パネル３０が通常表示状態に移行すると、節電効果が薄れてしまう。特に画像形成装置１０の各デバイスまでも省電力状態が解除されて初期化動作などが行われると、多大な電力が無駄に消費されてしまう。
【００８０】
そこで、表示システム３では、操作パネル３０とリモート操作パネル４０が連携動作中であって操作パネル３０が省電力表示状態の場合に、操作パネル３０にてＣＯＰＹ釦３８ａなどのハードキーが操作されると、該ハードキーの操作に応じて表示すべき画面（関連情報画面とする）はリモート操作パネル４０の表示部４７に表示し、操作パネル３０の省電力表示状態は維持するように動作する。
【００８１】
図６は、図５の状態からユーザが画像形成装置１０のＣＯＰＹ釦３８ａを操作した場合の表示の変化を示している。図６に示すように、操作パネル３０とリモート操作パネル４０が連携動作中であって操作パネル３０が省電力表示状態のときに操作パネル３０のＣＯＰＹ釦３８ａが操作されると、操作パネル３０は省電力表示状態をそのまま維持し、ＣＯＰＹ釦３８ａの操作に応じて表示すべきコピー設定の画面はリモート操作パネル４０の表示部４７に表示される。
【００８２】
図７は、図５、図６の動作に関する制御の流れを示している。ここでは、この制御を画像形成装置１０のＣＰＵ１１が行うものとする。連携動作中に、操作パネル３０のハードキーの操作を受けると（ステップＳ１０１）、該操作に対応する関連情報画面を作成する（ステップＳ１０２）。画像形成装置１０は、自装置の操作パネル３０が省電力表示状態か否かを調べる（ステップＳ１０３）。操作パネル３０が省電力表示状態でなければ（ステップＳ１０３；Ｎｏ）、関連情報画面を操作パネル３０の表示部３１に表示して（ステップＳ１０４）、本処理を終了する（エンド）。
【００８３】
操作パネル３０が省電力表示状態の場合は（ステップＳ１０３；Ｙｅｓ）、連携動作中か否かを調べる（ステップＳ１０５）。連携動作中でなければ（ステップＳ１０５；Ｎｏ）、操作パネル３０の省電力表示状態を解除して通常表示状態とし、該操作パネル３０に関連情報画面を表示して（ステップＳ１０６）、本処理を終了する（エンド）。
【００８４】
連携動作中の場合は（ステップＳ１０５；Ｙｅｓ）、操作パネル３０の省電力表示状態はそのまま維持し、リモート操作パネル４０に関連情報画面を表示させて（ステップＳ１０７）、本処理を終了する（エンド）。
【００８５】
図８は、通常表示状態の操作パネル３０と省電力表示状態のリモート操作パネル４０が連携動作している状態の一例を示している。操作パネル３０の表示部３１にはコピー設定画面が表示されている。リモート操作パネル４０は省電力表示状態なので表示は行わないが、ハードキーの操作は受け付ける状態にある。
【００８６】
この状態で、ユーザは画像形成装置１０に対する各種の設定を操作パネル３０を使用して行うことができると共に、リモート操作パネル４０のハードキーを操作して画像形成装置１０に対し所定の指示を入力することができる。
【００８７】
表示システム３では、操作パネル３０とリモート操作パネル４０が連携動作中であってリモート操作パネル４０が省電力表示状態の場合に、リモート操作パネル４０にてハードキーが操作されると、該ハードキーの操作に応じて表示すべき関連情報画面は操作パネル３０の表示部３１に表示し、リモート操作パネル４０の省電力表示状態は維持するように動作する。
【００８８】
図９は、図８の状態からユーザがリモート操作パネル４０のハードキー４６ｂを操作した場合の表示の変化を示している。図９に示すように、操作パネル３０とリモート操作パネル４０が連携動作中であってリモート操作パネル４０が省電力表示状態のときにリモート操作パネル４０のハードキー４６ｂが操作されると、リモート操作パネル４０は省電力表示状態をそのまま維持し、ハードキー４６ｂの操作に応じて表示すべき関連情報画面（図９の例ではプレビュー画面）は操作パネル３０の表示部３１に表示される。
【００８９】
図１０は、図８、図９の動作に関する制御の流れを示している。この制御は画像形成装置１０のＣＰＵ１１が行うものとする。連携動作中に、リモート操作パネル４０のハードキーの操作を受けると（ステップＳ２０１）、該操作に対応する関連情報画面を作成する（ステップＳ２０２）。画像形成装置１０は、リモート操作パネル４０が省電力表示状態か否かを調べる（ステップＳ２０３）。リモート操作パネル４０が省電力表示状態でなければ（ステップＳ２０３；Ｎｏ）、関連情報画面をリモート操作パネル４０の表示部４７に表示して（ステップＳ２０４）、本処理を終了する（エンド）。
【００９０】
リモート操作パネル４０が省電力表示状態の場合は（ステップＳ２０３；Ｙｅｓ）、連携動作中か否かを調べる（ステップＳ２０５）。連携動作中でなければ（ステップＳ２０５；Ｎｏ）、リモート操作パネル４０の省電力表示状態を解除して通常表示状態とし、該リモート操作パネル４０に関連情報画面を表示して（ステップＳ２０６）、本処理を終了する（エンド）。
【００９１】
連携動作中の場合は（ステップＳ２０５；Ｙｅｓ）、リモート操作パネル４０の省電力表示状態はそのまま維持し、操作パネル３０に関連情報画面を表示させて（ステップＳ２０７）、本処理を終了する（エンド）。
【００９２】
次に、画像形成装置１０がジョブ実行等の動作中に生じた通知情報の表示について説明する。
【００９３】
画像形成装置１０は、ジョブの実行中に用紙切れ、用紙詰まりなど何らかのエラーが生じると、そのエラーに対応するエラーメッセージ等を通知情報として表示する。このほか、実行中のジョブの詳細情報なども通知情報に含まれる。たとえば、読み取り毎に変化する読み取り済みのスキャン枚数、印刷（排紙）毎に増加する印刷枚数、読み取り完了、送信／受信完了、ジョブ終了などの情報などが通知情報に含まれる。これらを逐次表示することで、実行中のジョブの詳細情報がユーザに通知される。
【００９４】
このような通知情報が発生したとき、画像形成装置１０の操作パネル３０が通常表示状態であれば、その通知情報は操作パネル３０に表示される。また、画像形成装置１０の操作パネル３０が省電力表示状態であって連携動作中でない場合は、操作パネル３０の省電力表示状態が解除され、その通知情報は操作パネル３０に表示される。一方、画像形成装置１０の操作パネル３０が省電力表示状態であって連携動作中に通知情報が発生すると、その通知情報はリモート操作パネル４０に表示される。
【００９５】
操作パネル３０が省電力表示状態のときにリモート操作パネル４０を連携動作させてリモート操作パネル４０からジョブ設定を行うと、操作パネル３０を省電力表示状態に維持できるので、節電に貢献する。しかし、そのジョブの実行中にエラー等が発生すると、通常は、画像形成装置１０の操作パネル３０の省電力表示状態を解除し、操作パネル３０にてエラー通知が行われるので、節電効果が半減されてしまう。そこで、本実施の形態に係る表示システム３では、画像形成装置１０の操作パネル３０が省電力表示状態であって連携動作中にエラー通知などの通知情報が発生すると、操作パネル３０を省電力表示状態に維持したまま、その通知情報をリモート操作パネル４０に表示するようになっている。
【００９６】
図１１は、省電力表示状態の操作パネル３０と通常表示状態のリモート操作パネル４０とを連携動作させて、リモート操作パネル４０でジョブの設定操作を行い、該ジョブの実行指示を操作パネル３０のスタート釦３６を操作して入力した状態を示している。これにより画像形成装置１０は、リモート操作パネル４０で設定された内容に従ってジョブの実行を開始する。
【００９７】
図１２は、図１１の状態でジョブの実行を開始し、そのジョブ実行中にエラーが発生した場合の表示例を示している。この場合、操作パネル３０が省電力表示状態であって操作パネル３０とリモート操作パネル４０が連動動作中なので、エラーの発生に伴う通知情報（エラーメッセージ５１）はリモート操作パネル４０に表示されている。
【００９８】
図１３は、連携動作中に通知情報が発生した場合の制御の流れを示している。この制御は画像形成装置１０のＣＰＵ１１が行う。画像形成装置１０の動作中にエラーなどに起因して通知情報が発生すると（ステップＳ３０１）、エラーメッセージ５１等の該通知情報を表示するための通知画面を作成する（ステップＳ３０２）。
【００９９】
次に、画像形成装置１０の操作パネル３０が省電力表示状態か否かを調べる（ステップＳ３０３）。操作パネル３０が省電力表示状態でなければ、すなわち、通常表示状態ならば（ステップＳ３０３；Ｎｏ）、通知画面を操作パネル３０の表示部３１に表示して（ステップＳ３０４）、本処理を終了する（エンド）。
【０１００】
操作パネル３０が省電力表示状態の場合は（ステップＳ３０３；Ｙｅｓ）、連携動作中か否かを調べる（ステップＳ３０５）。連携動作中でなければ（ステップＳ３０５；Ｎｏ）、操作パネル３０の省電力表示状態を解除して通常表示状態とし、該操作パネル３０に通知画面を表示して（ステップＳ３０６）、本処理を終了する（エンド）。
【０１０１】
連携動作中の場合は（ステップＳ３０５；Ｙｅｓ）、操作パネル３０の省電力表示状態はそのまま維持し、リモート操作パネル４０に通知画面を表示させて（ステップＳ３０７）、本処理を終了する（エンド）。
【０１０２】
次に、省電力表示状態の表示部のタッチパネルにユーザが触れた場合の動作について説明する。
【０１０３】
ユーザが、意図せずに誤って、省電力表示状態の操作パネル３０のタッチパネル３２ａに触れてしまった場合、その操作によって操作パネル３０の省電力表示状態が解除されることは好ましくない。
【０１０４】
そこで、省電力表示状態の操作パネル３０のタッチパネル３２ａに触れてしまった場合に、操作パネル３０とリモート操作パネル４０が連携動作中であれば、操作パネル３０の省電力表示状態を解除するか否かの選択画面をリモート操作パネル４０に表示し、省電力表示状態を解除する選択を受けた場合にのみ、操作パネル３０を通常表示状態に移行させるように制御する。
【０１０５】
図１４は、省電力表示状態の操作パネル３０のタッチパネル３２ａにユーザの指が意図せずに触れてしまった状態を示している。
【０１０６】
図１５は、操作パネル３０の省電力表示状態を解除するか否かの選択画面５３がリモート操作パネル４０に表示された状態を示している。選択画面５３には、操作パネル３０の省電力解除を行うか否かを問合せるメッセージと、解除を指示するためのはい釦５４と解除しないことを指示するためのいいえ釦５５が表示されている。
【０１０７】
図１６は、図１５の状態からユーザが、はい釦５４を選択した様子を示している。
【０１０８】
図１７は、図１６でのはい釦５４の選択により、操作パネル３０の省電力表示状態が解除されて通常表示状態になったときの表示の一例を示している。はい釦５４の選択により、操作パネル３０は通常表示状態になり、この例では、操作パネル３０にコピー設定（１）の操作画面が表示されている。リモート操作パネル４０においては、選択画面５３が消去され、コピー設定（２）の操作画面が表示されている。
【０１０９】
図１６に示す選択画面５３にていいえ釦５５が選択された場合には、リモート操作パネル４０から選択画面５３が消去されて、図１４に示す表示状態に戻る。
【０１１０】
図１８は、タッチ操作に対する制御を示す流れ図である。この制御は画像形成装置１０のＣＰＵ１１が行う。画像形成装置１０の操作パネル３０のタッチパネル３２ａがタッチを検出すると（ステップＳ４０１）、操作パネル３０が省電力表示状態か否かを調べる（ステップＳ４０２）。
【０１１１】
操作パネル３０が省電力表示状態でなければ（ステップＳ４０２；Ｎｏ）、タッチ操作に対応する画面を操作パネル３０に表示して（ステップＳ４０３）、本処理を終了する（エンド）。
【０１１２】
操作パネル３０が省電力表示状態の場合は（ステップＳ４０２；Ｙｅｓ）、連携動作中か否かを調べる（ステップＳ４０４）。連携動作中でなければ（ステップＳ４０４；Ｎｏ）、省電力表示状態を解除し、通常表示状態に復帰して（ステップＳ４０５）、本処理を終了する（エンド）。なお、ステップＳ４０５では、今回のタッチ操作を無視するようにし、通常表示状態への復帰は別途の方法で行うようにしてもよい。
【０１１３】
連携動作中の場合は（ステップＳ４０４；Ｙｅｓ）、リモート操作パネル４０に選択画面５３を表示し（ステップＳ４０６）、操作パネル３０の省電力表示状態を解除するか否かの選択操作を受け付ける（ステップＳ４０７）。
【０１１４】
選択画面５３にて、操作パネル３０の省電力表示状態を解除する旨の選択操作を受けた場合は（ステップＳ４０７；Ｙｅｓ）、操作パネル３０の省電力表示状態を解除すると共に（ステップＳ４０８）、リモート操作パネル４０から選択画面５３を消去して（ステップＳ４０９）、本処理を終了する（エンド）。
【０１１５】
選択画面５３にて、操作パネル３０の省電力表示状態を解除しない旨の選択操作を受けた場合は（ステップＳ４０７；Ｎｏ）、操作パネル３０の省電力表示状態を維持し、リモート操作パネル４０から選択画面５３を消去して（ステップＳ４０９）、本処理を終了する（エンド）。
【０１１６】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１７】
実施の形態では、画像形成装置１０に固定された操作パネル３０とリモート操作パネル４０が並置されて連携する場合を例に説明したが、操作パネル３０は画像形成装置１０から取り外し可能であってもよいし、個別のリモート操作パネルであってもよい。また２台のリモート操作パネル４０、あるいは画像形成装置１０から取り外した操作パネル３０とリモート操作パネルが並置され通信可能となって連携する場合にも本発明は適用される。
【０１１８】
本発明は、操作パネル３０（操作表示装置）を画像形成装置１０と別体に構成し、操作パネル３０にＣＰＵ等の制御部を設け、実施の形態で画像形成装置１０のＣＰＵ１１が行っていた表示状態に関する制御を操作パネル３０が行うようにしてもよい。
【０１１９】
実施の形態では表示システム３を例示したが、本発明は、汎用の携帯端末等と連携動作可能な画像形成装置１０として構成されてもよいし、２台の操作表示装置を表示システム３として動作させるプログラム、画像形成装置１０の動作を制御するプログラムであってもよい。
【符号の説明】
【０１２０】
３…表示システム
１０…画像形成装置
１１…ＣＰＵ
１２…ＲＯＭ
１３…ＲＡＭ
１４…不揮発メモリ
１５…ハードディスク装置
１６…自動原稿搬送部
１７…ネットワーク通信部
１８…画像読取部
１９…画像処理部
２１…プリンタ部
２２…ファクシミリ通信部
２３…認証部
３０…操作パネル
３１…表示部
３２…操作部
３２ａ…タッチパネル
３３…近接無線通信部
３４…接続検出部
３５…テンキー
３６…スタート釦
３７…ストップ釦
３８ａ…ＣＯＰＹ釦
３８ｂ…ＦＡＸ釦
３８ｃ…ＳＣＡＮ釦
４０…リモート操作パネル
４１…ＣＰＵ
４２…ＲＯＭ
４３…ＲＡＭ
４４…不揮発メモリ
４５…認証部
４６…操作部
４６ａ…タッチパネル
４６ｂ…ハードキー
４７…表示部
４８…ネットワーク通信部
４９…近接無線通信部
５１…エラーメッセージ
５３…選択画面
５４…はい釦
５５…いいえ釦
【図１】
2015143940.tif 000003
【図２】
2015143940.tif 000004
【図３】
2015143940.tif 000005
【図４】
2015143940.tif 000006
【図５】
2015143940.tif 000007
【図６】
2015143940.tif 000008
【図７】
2015143940.tif 000009
【図８】
2015143940.tif 000010
【図９】
2015143940.tif 000011
【図１０】
2015143940.tif 000012
【図１１】
2015143940.tif 000013
【図１２】
2015143940.tif 000014
【図１３】
2015143940.tif 000015
【図１４】
2015143940.tif 000016
【図１５】
2015143940.tif 000017
【図１６】
2015143940.tif 000018
【図１７】
2015143940.tif 000019
【図１８】
2015143940.tif 000020